(57)【要約】【課題】操作負担を軽減する。【解決手段】実施形態の電子機器は、入力部と、表示制御部と、を備える。入力部は、撮像部により撮像された画像のデータを入力する。表示制御部は、入力部より入力された画像を第１の表示倍率で表示すると共に、第１の画像に人の手と顔の部位との画像が含まれる場合に、第１の画像を、第１の表示倍率より拡大率が高い第２の表示倍率で表示する。【選択図】図３
2015095682.tif 000002
【特許請求の範囲】
【請求項１】
撮像部により撮像された画像のデータを入力する入力部と、
前記入力部より入力された画像を第１の表示倍率で表示すると共に、第１の画像に人の手と顔の部位との画像が含まれる場合に、前記第１の画像を、前記第１の表示倍率より拡大率が高い第２の表示倍率で表示する表示制御部と、
を備える電子機器。
【請求項２】
前記表示制御部は、前記手と前記顔の部位との間の距離が第１の閾値より大きい場合に前記手と前記顔の部位とを含む画像を前記第１の表示倍率で表示し、
前記手と前記顔の部位との間の距離が前記第１の閾値以下の場合に前記第２の表示倍率で、前記手と前記顔の部位とを含む画像を表示する、
請求項１に記載の電子機器。
【請求項３】
前記表示制御部は、前記手と前記顔の第１部位との間の距離が第２の閾値より小さい場合に、前記手と前記顔の第１部位とを含む画像を第３の表示倍率で表示し、
前記手と前記顔の第２部位との間の距離が第３の閾値より小さい場合に、前記手と前記顔の第２部位とを含む画像を前記第３の表示倍率とは異なる第４の表示倍率で表示する、
請求項１又は２に記載の電子機器。
【請求項４】
前記表示部は、さらに、物体の画像と人の手との間の距離が第４閾値より小さい場合に、前記第１の表示倍率より拡大率が高い第５の表示倍率で、前記物体を含む画像を表示する、
請求項１乃至３のいずれか１つに記載の電子機器。
【請求項５】
音声信号を検出する音声検出部を、さらに備え、
前記表示部は、さらに、前記第１の画像に人の手と顔の部位とが表示されている際に、前記音声検出部が第１の音声信号を検出した場合に、前記第２の表示倍率で、前記手と前記顔の部位とを含んだ前記第２の画像に切り替えて表示する、
請求項１乃至４のいずれか１つに記載の電子機器。
【請求項６】
撮像部により撮像された画像のデータを入力し、
入力された画像を第１の表示倍率で表示すると共に、第１の画像に人の手と顔の部位との画像が含まれている場合に、前記第１の画像を、前記第１の表示倍率より拡大率が高い第２の表示倍率で表示する、
方法。
【請求項７】
前記手と前記顔の部位との間の距離が第１の閾値より大きい場合に前記手と前記顔の部位とを含む画像を前記第１の表示倍率で表示し、
前記手と前記顔の部位との間の距離が前記第１の閾値以下の場合に前記第２の表示倍率で、前記手と前記顔の部位とを含む画像を表示する、
請求項６に記載の方法。
【請求項８】
前記手と前記顔の第１の部位との間の距離が第２の閾値より小さい場合に、前記手と前記顔の第１部位とを含む画像を第３の表示倍率で表示し、
前記手と前記顔の第２の部位との間の距離が第３の閾値より小さい場合に、前記手と前記顔の第２部位とを含む画像を前記第３の表示倍率とは異なる第４の表示倍率で表示する、
請求項６又は７に記載の方法。
【請求項９】
物体の画像と人の手との間の距離が第４の閾値より小さい場合に、第１の表示倍率より拡大率が高い第５の表示倍率で、前記物体を含む画像を表示する、
請求項６乃至８のいずれか１つに記載の方法。
【請求項１０】
音声信号を検出し、
前記第１の画像に人の手と顔の部位とが表示されている際に、第１の音声信号を検出した場合に、前記第２の表示倍率で、前記手と前記顔の部位とを含んだ前記第２の画像に切り替えて表示する、
請求項６乃至９のいずれか１つに記載の方法。
【請求項１１】
撮像部により撮像された画像のデータを入力する入力ステップと、
前記入力ステップにより入力された画像を第１の表示倍率で表示すると共に、前記第１の画像に人の手と顔の部位との画像が含まれている場合に、前記第１の画像を、前記第１の表示倍率より拡大率が高い第２の表示倍率で表示する表示ステップと、
を実行させるためのプログラム。
【請求項１２】
前記表示ステップは、前記手と前記顔の部位との間の距離が第１の閾値より大きい場合に前記手と前記顔の部位とを含む画像を前記第１の表示倍率で表示し、
前記手と前記顔の部位との間の距離が前記第１の閾値以下の場合に前記第２の表示倍率で、前記手と前記顔の部位とを含む画像を表示する、
請求項１１に記載のプログラム。
【請求項１３】
前記表示ステップは、前記手と前記顔の第１の部位との間の距離が第２の閾値より小さい場合に、前記手と前記顔の第１部位とを含む画像を第３の表示倍率で表示し、
前記手と前記顔の第２の部位との間の距離が第３の閾値より小さい場合に、前記手と前記顔の第２部位とを含む画像を前記第３の表示倍率とは異なる第４の表示倍率で表示する、
請求項１１又は１２に記載のプログラム。
【請求項１４】
前記表示ステップは、さらに、物体の画像と人の手との間の距離が第４閾値より小さい場合に、前記第１の表示倍率より拡大率が高い第５の表示倍率で、前記物体を含む画像を表示する、
請求項１１乃至１３のいずれか１つに記載のプログラム。
【請求項１５】
音声信号を検出する音声検出ステップを、さらに備え、
前記表示ステップは、さらに、前記第１の画像に人の手と顔の部位とが表示されている際に、前記音声検出ステップが第１の音声信号を検出した場合に、前記第２の表示倍率で、前記手と前記顔の部位とを含んだ前記第２の画像に切り替えて表示する、
請求項１１乃至１４のいずれか１つに記載のプログラム。
【発明の詳細な説明】
【技術分野】
【０００１】
本発明の実施形態は、電子機器、方法、及びプログラムに関する。
【背景技術】
【０００２】
従来から、カメラで撮像した画像データを表示装置に表示することで、鏡のような利用ができる電子機器が提供されている。
【先行技術文献】
【特許文献】
【０００３】
【特許文献１】特開２００５−５７９１号公報
【発明の概要】
【発明が解決しようとする課題】
【０００４】
しかしながら、従来技術において、鏡のような利用ができる電子機器においては、利用者から操作を受け付けることで、デジタルズーム等を用いた拡大・縮小を行う提案技術では、コンタクトレンズを入れたり、メークをしたりする際には、両手がふさがっていることも多く、領域指定作業がしにくいという問題が生じていた。
【０００５】
本発明の一形態は、画像データを拡大表示させる際に操作負担を軽減する電子機器、方法、及びプログラムを提供する。
【課題を解決するための手段】
【０００６】
実施形態の電子機器は、入力部と、表示制御部と、を備える。入力部は、撮像部により撮像された画像のデータを入力する。表示制御部は、入力部より入力された画像を第１の表示倍率で表示すると共に、第１の画像に人の手と顔の部位との画像が含まれる場合に、第１の画像を、第１の表示倍率より拡大率が高い第２の表示倍率で表示する。
【図面の簡単な説明】
【０００７】
【図１】図１は、実施形態のテレビジョン放送表示装置を表した概念図である。
【図２】図２は、実施形態のテレビジョン放送表示装置のハードウェア構成例を示すブロック図である。
【図３】図３は、実施形態のテレビジョン放送表示装置の制御部における、制御プログラム群の実行で実現された構成例を示したブロック図である。
【図４】図４は、実施形態のテレビジョン放送表示装置の検出部により画像データから検出された顔の部位と、手と、の位置関係を例示した図である。
【図５】図５は、実施形態のテレビジョン放送表示装置の検出部により画像データから検出された顔の部位と、手と、の位置関係を例示した図である。
【図６】図６は、実施形態のテレビジョン放送表示装置の拡大制御データベースの構成例を示した図である。
【図７】図７は、実施形態にかかるテレビジョン放送表示装置における、画像データの拡大表示の際の処理の手順を示すフローチャートである。
【図８】図８は、実施形態にかかるテレビジョン放送表示装置における、画像データを拡大するか否かの判定の際の処理の手順を示すフローチャートである。
【発明を実施するための形態】
【０００８】
後述する実施形態は、本発明の電子機器を適用したテレビジョン放送表示装置の例について説明する。しかしながら、後述する実施形態は、電子機器をテレビジョン放送表示装置に制限するものではなく、撮像部で撮像した画像データを表示部に表示する電子機器であれば適用可能とする。
【０００９】
図１は、本実施形態のテレビジョン放送表示装置を表した概念図である。図１に示されるように、テレビジョン放送表示装置１００は、カメラ１０１を備え、当該カメラ１０１で撮像した画像データを映像表示パネル１０２に表示する。テレビジョン放送表示装置１００は、撮像した画像データから人の顔や手を検出し、人が顔等に対して作業を行う際、当該顔の拡大表示を行う。
【００１０】
例えば、テレビジョン放送表示装置１００は、ユーザが、目にコンタクトを入れようとしている場合には、目を含んだ範囲を拡大表示したり、眉等にメークする場合には、眉等を含んだ領域を拡大表示したりする。テレビジョン放送表示装置１００の（図示しない）リモートコントローラ等で画像データの拡大・縮小等の制御を行っても良いが、手にコンタクトレンズを持っていたり、化粧用品等を持っていると、他のものを持ったり、テレビジョン放送表示装置１００の操作を行うことが難しい。このため、本実施形態では、顔と、手（や化粧用品の物体等）と、の間の位置関係に基づいて、テレビジョン放送表示装置１００が拡大・縮小制御を行うこととした。
【００１１】
また、本実施形態のテレビジョン放送表示装置１００は、映像表示パネル１０２のうち一部領域１８０を、カメラ１０１で撮影された画像データの表示に用いることとした。これにより、映像表示パネル１０２の他の領域で番組等を視聴しながら、作業を行うことができる。また、他の領域に表示するものは番組に制限するものではなく、カメラ１０１により撮影された画像データの全体を表示しても良い。なお、本実施形態は、当該表示態様を制限するものではなく、例えば、映像表示パネル１０２の全領域を画像データの表示に用いても良い。
【００１２】
図２は、実施形態のテレビジョン放送表示装置１００のハードウェア構成例を示すブロック図である。テレビジョン放送表示装置１００は、デジタル放送の放送波を受信し、受信した放送波から取り出した映像信号を用いて番組の映像を表示する映像表示装置である。
【００１３】
テレビジョン放送表示装置１００は、アンテナ２１２、入力端子２１３、チューナ２１４及び復調器２１５を有している。アンテナ２１２は、デジタル放送の放送波を捕らえ、その放送波の放送信号を、入力端子２１３を介してチューナ２１４に供給する。
【００１４】
チューナ２１４は、入力されたデジタル放送の放送信号から所望のチャンネルの放送信号を選局する。そして、チューナ２１４から出力された放送信号は復調器２１５に供給される。復調器２１５は、放送信号に復調処理を施し、デジタル映像信号及び音声信号を復調して、後述するセレクタ２１６に供給する。
【００１５】
また、テレビジョン放送表示装置１００は入力端子２２１、２２３、Ａ／Ｄ変換部２２２、信号処理部２２４、スピーカ２２５及び映像表示パネル１０２を有している。
【００１６】
入力端子２２１は外部からアナログの映像信号及び音声信号が入力され、入力端子２２３は外部からデジタルの映像信号及び音声信号が入力される。Ａ／Ｄ変換部２２２は入力端子２２１から供給されるアナログの映像信号及び音声信号をデジタル信号に変換し、セレクタ２１６に供給する。
【００１７】
セレクタ２１６は、復調器２１５、Ａ／Ｄ変換部２２２及び入力端子２２３から供給されるデジタルの映像信号及び音声信号から１つを選択して、信号処理部２２４に供給する。
【００１８】
信号処理部２２４は、入力される映像信号について、所定の信号処理やスケーリング処理等を施し、処理後の映像信号を映像表示パネル１０２に供給する。また、信号処理部２２４は、入力されたデジタル音声信号に所定の信号処理を施し、アナログ音声信号に変換してスピーカ２２５に出力する。また、テレビジョン放送表示装置１００は、少なくともＴＳデマルチプレクサ及びＭＰＥＧデコーダを有し、ＭＰＥＧデコーダによってデコードされた後の信号が信号処理部２２４に入力される。
【００１９】
さらに、信号処理部２２４は、映像表示パネル１０２に表示させるためのＯＳＤ（On  Screen  Display）信号も生成している。
【００２０】
スピーカ２２５は、信号処理部２２４から供給される音声信号を入力し、その音声信号を用いて音声を出力する。
【００２１】
そして、映像表示パネル１０２は、液晶ディスプレイやプラズマディスプレイ等のフラットパネルディスプレイから構成される。映像表示パネル１０２は、信号処理部２２４から供給される映像信号を用いて映像を表示する。
【００２２】
さらに、テレビジョン放送表示装置１００は制御部２２７、操作部２２８、受光部２２９、ＨＤＤ（Hard  Disk  Drive）２３０、メモリ２３１、カメラ１０１、及びマイク２３３を有している。
【００２３】
制御部２２７は、テレビジョン放送表示装置１００における種々の動作を統括的に制御する。制御部２２７は、ＣＰＵ（Central  Processing  Unit）等を内蔵したマイクロプロセッサであり、操作部２２８からの操作情報を入力する一方、リモートコントローラ２５０から送信された操作情報を、受光部２２９を介して入力し、それらの操作情報にしたがい各部をそれぞれ制御する。本実施形態の受光部２２９は、リモートコントローラ２５０からの赤外線を受光する。
【００２４】
制御部２２７は、メモリ２３１を使用している。メモリ２３１は、主として、制御部２２７に内蔵されているＣＰＵが実行する制御プログラムを格納したＲＯＭ（Read  Only  Memory）と、ＣＰＵに作業エリアを提供するためのＲＡＭ（Random  Access  Memory）と、各種の設定情報及び制御情報等が格納される不揮発性メモリとを有している。
【００２５】
ＨＤＤ２３０は、セレクタ２１６で選択されたデジタルの映像信号及び音声信号を記録する記録手段としての機能を有している。テレビジョン放送表示装置１００はＨＤＤ２３０を有するため、セレクタ２１６で選択されたデジタルの映像信号及び音声信号をＨＤＤ２３０により記録することができる。さらに、テレビジョン放送表示装置１００は、ＨＤＤ２３０に記録されたデジタルの映像信号及び音声信号を用いて映像及び音声を再生することもできる。
【００２６】
カメラ１０１は、テレビジョン放送表示装置１００の正面を撮像する撮像部として機能する。マイク２３３は、ユーザが発した音声信号を収集する。
【００２７】
図３は、制御部２２７における、制御プログラム群の実行で実現された構成例を示したブロック図である。図３に示されるように、制御部２２７は、入力部３０１と、検出部３０２と、判定部３０３と、位置設定部３０４と、表示倍率設定部３０５と、表示制御部３０６と、を実現する。さらに、制御部２２７の各構成は、ＨＤＤ２３０に格納されている部位辞書データベース３１１と、拡大制御データベース３１２と、を参照可能とする。
【００２８】
部位辞書データベース３１１は、顔や手を検出するための辞書として参照可能なデータベースとする。本実施形態の部位辞書データベース３１１は、顔に含まれている各部位（目、眉、鼻、口など）の特徴情報が予め登録されている。さらには、部位辞書データベース３１１は、カメラ１０１で撮像される、手の形状を予め登録しておく。登録されている手の形状と比較することで、手の検出を行うことができる。なお、本実施形態は、顔や手の検出手法を制限するものではなく、周知の手法を含めて他の手法を用いて検出を行っても良い。
【００２９】
入力部３０１は、カメラ１０１により撮像された画像データを入力する。さらに、入力部３０１は、必要に応じて、マイク２３３から音声信号の入力等を行っても良い。
【００３０】
検出部３０２は、顔検出部３２１と、手検出部３２２と、を備え、画像データに対して、撮像された手、顔、物体等を検出する。
【００３１】
顔検出部３２１は、入力部３０１が入力した画像データに写っている人の顔を検出する。人の顔の検出手法としては、周知の手法を含めて様々な手法を用いても良い。本実施形態では、顔の各部位の特徴情報が予め部位辞書データベース３１１に登録されているので、顔検出部３２１は、画像データに写っている映像と登録されている特徴情報との類似度に基づいて顔を検出する。さらに、本実施形態の顔検出部３２１は、顔の各部位（眉、目、鼻、及び口等）も検出する。
【００３２】
手検出部３２２は、部位辞書データベース３１１に登録されている手の形状パターンと比較して、入力部３０１が入力した画像データに写っている人の手を検出する。さらに手検出部３２２は、検出された手に隣接している物体（例えば突起物）等を検出する。手に隣接している物体（突起物）としては、アイブロウペンシルなどが考えられる。
【００３３】
判定部３０３は、顔検出部３２１により検出された人の顔と、手検出部３２２により検出された手と、の位置関係に基づいて、画像データを拡大するか否かを判定する。本実施形態では、人の顔の各部位毎に予め閾値が設定されている。そして、判定部３０３は、人の顔の各部位と、手又は手に持った物体との距離が、予め設定されている閾値より短くなった場合に、画像データを拡大すると判定する。なお、閾値は、実施の態様に応じて設定されるため、説明を省略する。
【００３４】
図４は、検出部３０２により画像データから検出された顔の部位と、手と、の位置関係を例示した図である。図４の“○”で示されている箇所４１１〜４２１が、部位辞書データベース３１１に登録されている特徴情報と類似度が高いと判別された箇所とする。これにより、顔検出部３２１は、顔を検出できる。そして、顔検出部３２１は、特徴情報と類似度が高いと判別された箇所４１１〜４２１から、各顔の部位を特定できる。さらに、手検出部３２２は、手４０２と、手４０２に隣接している突起物（化粧用品と考えられる）４０１と、を検出する。図４に示す例では、判定部３０３は、顔の各部位と、手の指の先端又は手に隣接している（手が持っている）突起物４０１の先端と、の間の距離が閾値以上のために拡大しないと判定する。
【００３５】
図５は、検出部３０２により画像データから検出された顔の部位と、手と、の位置関係を例示した図である。図５に示される例では、顔の眉（例えば箇所４１４）と、手５０２に隣接している突起物５０１の先端と、の間の距離が閾値より短くなっているために、判定部３０３は、拡大すると判定する。これにより、表示制御部３０６は、領域５２１を拡大表示する。
【００３６】
また、複数の部位と、手（又は手に隣接している物体の先端）と、の間の距離が短くなることで、複数の部位のうち、どの部位にフォーカスした上で拡大すれば良いのかわからなくなる場合も考えられる。そこで、本実施形態では、手の状態に基づいて、どの部位をフォーカスの対象とするのか判定することとした。本実施形態の判定部３０３は、手の状態を特定した際に、拡大制御データベース３１２を参照し、手の状態と対応付けられた部位を、フォーカスの対象と設定する。
【００３７】
図６は、拡大制御データベース３１２の構成例を示した図である。図６に示されるように、拡大制御データベース３１２は、部位と、手の状況と、フォーカス位置と、拡大率と、を対応付けて登録されている。図６に示されるように、顔の部位毎に手の状況が登録されている。そして、判定部３０３は、顔の部位毎に登録されている手の状況が、検出部３０２により検出されている手の状況と一致した場合に、当該手の状況と対応付けてある顔の部位を拡大すると判定する。なお、眉と対応付けられている「手に突起物」とは、手にアイブロウペンシルなどを持っている状態とみなす。同様に顔と対応付けられている「手に道具」とは、手にひげそり等を持っている状態、髪の毛と対応付けられている「手に道具」とは、手に毛抜き等を持っている状態とみなす。
【００３８】
位置設定部３０４は、判定部３０３により拡大すると判定された場合に、入力部３０１に入力された画像データのうち、拡大する際の基準となるフォーカス位置を設定する。本実施形態では、拡大制御データベース３１２において、拡大の対象となる部位と対応付けてあるフォーカス位置を、拡大する画像データにおけるフォーカスの中心位置として設定する。
【００３９】
表示倍率設定部３０５は、判定部３０３により拡大すると判定された場合に、入力部３０１に入力された画像データに対する表示倍率を設定する。本実施形態では、拡大制御データベース３１２において、拡大の対象となる部位と対応付けてある表示倍率を、拡大する画像データにおける表示倍率として設定する。なお、本実施形態は、拡大制御データベース３１２に設定されている表示倍率で拡大する例について説明したが、拡大する手法として他の手法を用いても良い。例えば、表示倍率設定部３０５は、画像データに含まれている顔等のサイズに基づいて、各部位を表示するために適切な表示倍率を算出し、当該表示倍率を設定しても良い。
【００４０】
表示制御部３０６は、入力部３０１により入力された画像データを、通常の表示倍率で映像表示パネル１０２に表示する。本実施形態の表示制御部３０６は、判定部３０３により拡大すると判定された場合に、位置設定部３０４により設定されたフォーカスの中心位置、及び表示倍率設定部３０５により設定された（通常の表示倍率より拡大率が高い）表示倍率で、画像データの拡大表示を行う。
【００４１】
このように、表示制御部３０６は、映像表示パネル１０２に対して、入力部３０１が入力した画像データを、通常の表示倍率で表示する。そして、表示されている画像データに人の手と顔の部位との画像が含まれている場合に、通常の表示倍率より拡大率が高い拡大表示用の表示倍率で表示する。
【００４２】
上述したように、本実施形態では表示を切り替える際に、手等と顔の部位との距離を考慮する。つまり、表示制御部３０６は、手と顔の部位との間の距離が拡大判定用に予め定められた閾値より大きい場合に、手と顔の部位とを含む画像データを、通常の表示倍率で表示し、拡大判定用に予め定められた閾値以下の場合に、拡大表示用の表示倍率で、手と顔の部位とを含んだ拡大画像データを表示する。
【００４３】
また、顔の部位毎に、拡大判定用の閾値を異ならせても良い。例えば、ＨＤＤ２３０が顔の部位毎に、拡大判定用の閾値を備え、判定部３０３が、ＨＤＤ２３０を参照して、顔の部位毎に異なる拡大判定用の閾値を用いて、当該部位を含んだ画像を拡大するか否かを判定する。これにより、表示制御部３０６は、手と顔の目との間の距離が、目のために定められた閾値より小さい場合に、手と目とを含む画像を、目と対応付けられた表示倍率で表示する。そして、表示制御部３０６は、手（又は突起物）と、顔の眉との間の距離が、眉のために定められた閾値より小さい場合に、手（又は突起物）と、顔の眉とを含む画像を、（目に対応付けられた表示倍率とは異なる）眉と対応付けられた表示倍率で表示する。
【００４４】
次に、本実施形態にかかるテレビジョン放送表示装置１００における、画像データの拡大表示の際の処理について説明する。図７は、本実施形態にかかるテレビジョン放送表示装置１００における上述した処理の手順を示すフローチャートである。
【００４５】
まず、入力部３０１がカメラ１０１からの画像データを入力する（ステップＳ７０１）。次に、表示制御部３０６が、入力した画像データを、通常の表示倍率で映像表示パネル１０２に表示する（ステップＳ７０２）。
【００４６】
次に、検出部３０２の手検出部３２２が、入力部３０１により入力された画像データから手を検出する（ステップＳ７０３）。検出部３０２の顔検出部３２１が、入力部３０１により入力された画像データから顔を検出する（ステップＳ７０４）。
【００４７】
そして、顔検出部３２１は、ステップＳ７０４により実際に画像データから顔が検出されたか否かを判定する（ステップＳ７０５）。顔が検出されなかったと判定された場合（ステップＳ７０５：Ｎｏ）、ステップＳ７０７に遷移する。
【００４８】
一方、顔検出部３２１が、顔を検出した場合（ステップＳ７０５：Ｙｅｓ）、画像データから顔の部位（顔のパーツ、例えば、目、眉、口、鼻）を検出する（ステップＳ７０６）。
【００４９】
その後、判定部３０３が、手及び顔の部位を検出したか否かを判定する（ステップＳ７０７）。検出していない場合（ステップＳ７０７：Ｎｏ）は、拡大表示を行わずに、通常の表示を継続して処理を終了する。
【００５０】
一方、判定部３０３が、手及び顔の部位を検出した場合（ステップＳ７０７：Ｙｅｓ）、画像データを拡大するか否かを判定し、判定結果を拡大制御フラグに設定する（ステップＳ７０８）。なお、詳細な処理については後述する。
【００５１】
その後、表示制御部３０６が、拡大制御フラグに基づいて、拡大制御が必要か否かを判定する（ステップＳ７０９）。拡大制御が必要ないと判定した場合（ステップＳ７０９：Ｎｏ）、拡大表示を行わずに、通常の表示を継続して処理を終了する。
【００５２】
一方、表示制御部３０６が、拡大制御が必要と判定した場合（ステップＳ７０９：Ｙｅｓ）、通常の表示倍率より拡大率を高い拡大表示用の表示倍率で、画像データを拡大表示する（ステップＳ７１０）。
【００５３】
なお、上述したフローチャートでは、手を検出してから、顔を検出する例について説明したが、検出する順序を制限するものではなく、顔を検出してから手を検出しても良いし、手と顔との検出を並行して行っても良い。上述した処理手順により、顔の部位と、手とを含んだ領域が拡大表示される。
【００５４】
次に、ステップＳ７０８における拡大するか否かの判定手法について具体的に説明する。本実施形態にかかるテレビジョン放送表示装置１００における、画像データを拡大するか否かの判定の際の処理について説明する。図８は、本実施形態にかかるテレビジョン放送表示装置１００における上述した処理の手順を示すフローチャートである。
【００５５】
まず、手検出部３２２は、さらに突起物が手に（当該手が持っていると見える程度に）隣接しているか否かを判定する（ステップＳ８０１）。隣接していると判定した場合（８０１：Ｙｅｓ）、手検出部３２２は、突起物の先端を検出する（ステップＳ８０２）。一方、突起物が手に隣接していないと判定した場合（ステップＳ８０１：Ｎｏ）、指の先端を検出する（ステップＳ８０３）。なお、本実施形態では、手に隣接している突起物とは、手でアイブロウペンシルや口紅などの化粧用品を持っているものとみなしている。
【００５６】
次に、手検出部３２２は、具体的な手の状態を検出する（ステップＳ８０４）。そして、判定部３０３は、拡大制御データベース３１２を参照して、検出された手の状態と対応付けられた顔の各部位を特定する（ステップＳ８０５）。その後、判定部３０３は、特定された顔の各部位と、検出された（手又は突起物の）先端との間の距離を算出する（ステップＳ８０６）。
【００５７】
そして、判定部３０３は、検出された（手又は突起物の）先端に最も距離が短い顔の部位を特定する（ステップＳ８０７）。その後、判定部３０３は、特定された顔の部位と先端との間の距離が、当該部位に設定された閾値以下か否かを判定する（ステップＳ８０８）。閾値より大きいと判定された場合（ステップＳ８０８：Ｎｏ）、拡大設定フラグを“（拡大）不要”と設定して（ステップＳ８０９）、処理を終了する。
【００５８】
一方、判定部３０３が、特定された顔の部位と先端との間の距離が、当該部位に設定された閾値以下と判定した場合（ステップＳ８０８：Ｙｅｓ）、判定部３０３は、拡大設定フラグを“要”と設定する（ステップＳ８１０）。
【００５９】
そして、位置設定部３０４が、拡大制御データベース３１２で、当該部位と対応付けられたフォーカス位置を、これから画像データを表示するための中心位置として設定する（ステップＳ８１１）。例えば、当該部位が目の場合、画像データに写っている目を、拡大する際の中心位置として設定される。
【００６０】
次に、表示倍率設定部３０５が、拡大制御データベースで、当該部位と対応付けられた（通常の表示倍率より高い）表示倍率を、これから画像データを表示するための表示倍率として設定する（ステップＳ８１２）。
【００６１】
上述した処理手順により、顔の部位と、手との間の位置関係、さらには手の状態に応じた画像データの拡大制御を実現できる。
【００６２】
（変形例１）
上述した実施形態においては、顔の部位と、手との間の位置関係、及び手の状況に応じて、画像データを拡大制御する例について説明した。しかしながら、自動で拡大制御を行うことに制限するものではなく、音声信号に基づいて拡大制御を切り替えても良い。そこで、変形例では、さらに音声信号に基づいて制御を行う例について説明する。
【００６３】
入力部３０１は、マイク２３３からの音声信号を入力する。そして、判定部３０３は、上述した実施形態で示した条件を満たすとともに、入力部３０１が入力した音声信号が所定の音声パターンであった場合に、画像データを拡大すると判定する。所定のパターンの例としては、音声認識で「拡大」とユーザが発したと判断される場合が考えられる。
【００６４】
また、拡大制御の他に様々な制御を、音声で行っても良い。元の表示倍率に戻すための音声パターン（例えば、「戻せ」）や、現在の表示倍率を継続するための音声パターン（例えば、「そのまま」）などを予め登録しておき、入力部３０１が、入力した音声信号が、登録されている音声パターンである場合に、表示制御部３０６が、検出された音声信号に従って、様々な画像データの拡大・縮小制御を実現できる。
【００６５】
さらには、音声をコマンドとして、他の制御を行っても良い。例えば、表示制御部３０６で拡大制御が行われた後、入力部３０１が「もっと大きく」等の音声パターンがあった倍に、表示制御部３０６が、画像データに対して、さらなる拡大制御を行う。また、入力部３０１が「戻して」等の音声パターンがあった場合に、表示制御部３０６が、画像データに対して、１つ前の表示倍率で表示するよう制御する。
【００６６】
（変形例２）
また、上述した実施形態及び変形例は、顔に対してメーク等を行うために、顔の部位と手とを含んだ範囲を拡大する例について説明した。しかしながら、拡大の対象を顔の部位に制限するものではない。例えば、物品に貼り付けられたラベルの文字等が小さいため、老人等では見にくい場合がある。そこで、変形例では、カメラ１０１に物品が写った場合に、当該物品の表示を拡大する例について説明する。
【００６７】
検出部３０２は、入力部３０１により入力された画像データから、顔を検出できずに、手と物品とを検出する。
【００６８】
そして、判定部３０３が、検出部３０２により顔が検出されず、手と物品とを検出した際、物品の画像と、当該手との距離が、物品の拡大用に定められた閾値より小さい場合に、物品を含む画像を拡大すると判定する。その際に、位置設定部３０４は、物品が示された位置をフォーカスの中心として設定する。また、表示倍率設定部３０５は、当該物品の拡大用に定められた表示倍率を設定する。
【００６９】
これにより、表示制御部３０６は、画像データに物体と人の手とが表示され、且つ物体と手とが隣接している（物品と、当該手との距離が、物品の拡大用に定められた閾値より小さい）時に、通常の表示倍率より拡大率が高い、物品の拡大用に定められた表示倍率で、物体を含んだ画像データに切り替えて表示する。
【００７０】
従来、鏡を見ながら、コンタクトをいれたり、メークをする際、両手がふさがっていることが多いため、顔の近くに鏡を持って来る等の作業が煩雑であった。さらに、鏡を見ながら細かい手作業をする際、等倍では見えにくいという問題があった。
【００７１】
そこで、上述した実施形態、及び変形例においては、手作業をする際に、必要に応じて注目される領域にフォーカスし、拡大・縮小を行なうこととした。これにおり、手がふさがっている際でも、ユーザの意図に合わせて適宜フォーカス、拡大、縮小等の制御が実現される。
【００７２】
したがって、上述した実施形態のテレビジョン放送表示装置１００においては、作業負担を軽減するとともに、拡大された画面を視認することで、作業ミス等を軽減できる。
【００７３】
本実施形態では、電子機器をテレビジョン放送表示装置に適用した例について説明したが、テレビジョン放送表示装置に制限するものではなく、例えば、スマートフォンやタブレット端末等に適用しても良い。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１００…テレビジョン放送表示装置、１０１…カメラ、１０２…映像表示パネル、２１２…アンテナ、２１３…入力端子、２１４…チューナ、２１５…復調器、２１６…セレクタ、２２１…入力端子、２２２…Ａ／Ｄ変換部、２２３…入力端子、２２４…信号処理部、２２５…スピーカ、２２７…制御部、２２８…操作部、２２９…受光部、２３１…メモリ、２３３…マイク、２５０…リモートコントローラ、３０１…入力部、３０２…検出部、３０３…判定部、３０４…位置設定部、３０５…表示倍率設定部、３０６…表示制御部、３１１…部位辞書データベース、３１２…拡大制御データベース、３２１…顔検出部、３２２…手検出部。
【図１】
2015095682.tif 000003
【図２】
2015095682.tif 000004
【図３】
2015095682.tif 000005
【図４】
2015095682.tif 000006
【図５】
2015095682.tif 000007
【図６】
2015095682.tif 000008
【図７】
2015095682.tif 000009
【図８】
2015095682.tif 000010